(57)【要約】【課題】  複数の部材を組み合わせることで任意の位置に流体を供給できるマニホールドを提供する。【解決手段】  ベースプレートが、幅方向に貫通し両端が塞がれた行孔と、ベースプレート下面から各行孔に連通する入口孔と、ベースプレート上面から各行孔に連通する下側縦孔とを有しており、マニホールドブロックが、奥行方向に貫通し両端が塞がれた列孔と、マニホールドブロック上面の任意の箇所から列孔に連通する出口孔と、マニホールドブロック下面から各列孔に連通する上側縦孔とを有しており、ベースプレート上面にマニホールドブロックが載置されて、下側縦孔と上側縦孔とが連通して入口孔から出口孔まで流体の流路が形成され、マニホールドブロックが載置されない箇所にはエンドプレートが載置される。【選択図】      図１
2011256926.tif 000002
【特許請求の範囲】
【請求項１】
ベースプレートと、マニホールドブロックと、エンドプレートとを備え、
ベースプレートが、略直方体形状であり、幅方向に貫通し両端が塞がれた複数本の行孔と、ベースプレート下面から各行孔に連通する入口孔と、ベースプレート上面から各行孔に連通する下側縦孔とを有しており、
マニホールドブロックが、略直方体形状で、ベースプレートと比べて幅が短く奥行が略同一であり、奥行方向に貫通し両端が塞がれた複数本の列孔と、マニホールドブロック上面の任意の箇所から列孔に連通する出口孔と、マニホールドブロック下面から各列孔に連通する上側縦孔とを有しており、下側縦孔および上側縦孔は行孔と列孔が交差する位置に設けられており、
エンドプレートが、略直方体形状で、ベースプレートと比べて幅が短く奥行が略同一であり、
ベースプレート上面にマニホールドブロックが載置されて、下側縦孔と上側縦孔とが連通して入口孔から出口孔まで流体の流路が形成され、マニホールドブロックが載置されない箇所にはエンドプレートが載置されることを特徴とするマニホールド。
【請求項２】
ベースプレートが、幅方向にＭ等分（Ｍは２以上の整数）、奥行方向にＮ等分（Ｎは２以上の整数）して区画された単位領域を有し、各単位領域には、Ｌ本（Ｌは２以上の整数）の行孔と、各行孔に連通するＬ個の下側縦孔が形成されており、各単位領域内において、各下側縦孔の幅方向位置は互いに異なっており、各単位領域相互における行孔および下側縦孔の配置はすべて同一であり、
マニホールドブロックが、幅が単位領域の幅と同一であり、単位領域と一致した幅方向位置に載置されるものであって、Ｌ本の列孔と、Ｌ×Ｎ個の上側縦孔が形成されており、列孔の幅方向位置は各単位領域内の下側縦孔の幅方向位置に一致しており、上側縦孔の位置は下側縦孔の位置に一致しており、
エンドプレートが、幅が単位領域の幅と同一であり、単位領域と一致した幅方向位置に載置されるものであり、
任意の下側縦孔と上側縦孔とが連通され、それ以外の下側縦孔および上側縦孔が塞がれることを特徴とする請求項１記載のマニホールド。
【発明の詳細な説明】
【技術分野】
【０００１】
本発明は、複数の部材を組み合わせて流体の流路を形成するマニホールドに関する。
【背景技術】
【０００２】
従来、流体回路を有する種々の装置があり、一例として、ワークの加工や搬送の際にワークを固定するための治具が挙げられる。これは、ベースプレートの上にクランパ、リフタ、ナチュラルクランプなどの各種部品が配置されたもので、各部品には外部配管が接続されて、油やエアなどの作動流体が供給される。しかし、ワークの形状や大きさによっては多数の部品が必要となり、それに伴って外部配管の構成も複雑になるため、施工の煩雑化、施工工数の増加によるコストアップ、配管への切粉の堆積、配管による他の部品の配置の妨げなどが問題となる。そこでこうした流体回路において、外部配管を用いず、溝や孔を設けたプレートやブロックを組み合わせて流路を形成するマニホールドがある（たとえば、特許文献１、２）。このようなマニホールドは施工が容易であり、また流路がプレートやブロックの内部にあるので切粉が堆積したり他の部品の配置が妨げられたりすることもない。
【先行技術文献】
【特許文献】
【０００３】
【特許文献１】特開平１１−１６６５０１号公報
【特許文献２】実開昭５３−８５４９４号公報
【発明の概要】
【発明が解決しようとする課題】
【０００４】
しかしながら、このようなマニホールドを治具に用いる場合、ワークの形状や大きさによって部品配置が異なり、流体の供給位置も異なることから、ワークに合わせて都度マニホールド全体を新たに設計・製造しなければならず、手間やコストがかかるという問題があった。
【０００５】
本発明は、上記事情を鑑みたものであり、複数の部材を組み合わせることで任意の位置に流体を供給できるマニホールドを提供することを目的とする。
【課題を解決するための手段】
【０００６】
本発明のうち請求項１の発明は、ベースプレートと、マニホールドブロックと、エンドプレートとを備え、ベースプレートが、略直方体形状であり、幅方向に貫通し両端が塞がれた複数本の行孔と、ベースプレート下面から各行孔に連通する入口孔と、ベースプレート上面から各行孔に連通する下側縦孔とを有しており、マニホールドブロックが、略直方体形状で、ベースプレートと比べて幅が短く奥行が略同一であり、奥行方向に貫通し両端が塞がれた複数本の列孔と、マニホールドブロック上面の任意の箇所から列孔に連通する出口孔と、マニホールドブロック下面から各列孔に連通する上側縦孔とを有しており、下側縦孔および上側縦孔は行孔と列孔が交差する位置に設けられており、エンドプレートが、略直方体形状で、ベースプレートと比べて幅が短く奥行が略同一であり、ベースプレート上面にマニホールドブロックが載置されて、下側縦孔と上側縦孔とが連通して入口孔から出口孔まで流体の流路が形成され、マニホールドブロックが載置されない箇所にはエンドプレートが載置されることを特徴とする。
【０００７】
本発明のうち請求項２の発明は、ベースプレートが、幅方向にＭ等分（Ｍは２以上の整数）、奥行方向にＮ等分（Ｎは２以上の整数）して区画された単位領域を有し、各単位領域には、Ｌ本（Ｌは２以上の整数）の行孔と、各行孔に連通するＬ個の下側縦孔が形成されており、各単位領域内において、各下側縦孔の幅方向位置は互いに異なっており、各単位領域相互における行孔および下側縦孔の配置はすべて同一であり、マニホールドブロックが、幅が単位領域の幅と同一であり、単位領域と一致した幅方向位置に載置されるものであって、Ｌ本の列孔と、Ｌ×Ｎ個の上側縦孔が形成されており、列孔の幅方向位置は各単位領域内の下側縦孔の幅方向位置に一致しており、上側縦孔の位置は下側縦孔の位置に一致しており、エンドプレートが、幅が単位領域の幅と同一であり、単位領域と一致した幅方向位置に載置されるものであり、任意の下側縦孔と上側縦孔とが連通され、それ以外の下側縦孔および上側縦孔が塞がれることを特徴とする。
【発明の効果】
【０００８】
本発明のうち請求項１の発明によれば、幅方向の行孔を有するベースプレートの上に奥行方向の列孔を有するマニホールドブロックを載置して、下側縦孔と上側縦孔により行孔と列孔を連通させることで、ベースプレート上の幅方向および奥行方向について任意の位置に流体を供給することができる。
【０００９】
本発明のうち請求項２の発明によれば、ベースプレート、マニホールドブロック、エンドプレートの三種類の部材が定形化される。行孔と列孔の交差する位置にはあらかじめ下側縦孔および上側縦孔が設けられているから、ベースプレート上にマニホールドブロックを載置する際に、必要箇所のみ下側縦孔と上側縦孔を連通させ、それ以外の箇所はプラグなどで塞げば、任意の行孔から列孔にかけての流路が形成される。なおこの際、マニホールドブロックを載置しない箇所の下側縦孔は、エンドプレートにより塞がれる。そして、マニホールドブロック上の任意の箇所から列孔に連通する出口孔を形成すれば、ベースプレート上の任意の位置に流体を供給できる。このように、ベースプレート、マニホールドブロック、エンドプレートを標準化することができ、流体の供給位置の違いに対しても同一部品を用いることができ、新たに設計・加工しなければならないのはマニホールドブロックに形成する出口孔のみなので、手間やコストを大幅に低減できる。
【図面の簡単な説明】
【００１０】
【図１】本発明のマニホールドを示し、（ａ）は平面図、（ｂ）は側面図である。
【図２】ベースプレートを示し、（ａ）は平面図、（ｂ）は側面図である。
【図３】マニホールドブロックを示し、（ａ）は平面図、（ｂ）は側面図である。
【図４】マニホールドの使用方法を示し、（ａ）は平面図、（ｂ）は側面図である。
【発明を実施するための形態】
【００１１】
本発明のマニホールドの具体的な構成について、各図面に基づいて説明する。このマニホールドは、図１に示すように、ベースプレート１と、ベースプレート１上に載置されたマニホールドブロック２およびエンドプレート３を備える。
【００１２】
ベースプレート１は、略直方体形状であり、図２に示すように、幅方向に四等分、奥行方向に三等分して区画された十二個の単位領域を有する。ここで、幅方向に並んだ単位領域を行、奥行方向に並んだ単位領域を列とよぶこととし、行については図２の上側から１行、２行、３行とし、列については図２の左側からＡ列、Ｂ列、Ｃ列、Ｄ列とする。そしてベースプレートには、幅方向に貫通する十二本の行孔１１が形成されている。各行孔１１は、同じ高さ位置に、平行かつ等間隔に形成されており、単位領域の各行に四本ずつ配されている。各行孔１１の両端には雌ネジが形成されており、プラグ４が螺合されて塞がれている。また、各行孔１１の両端部には、ベースプレート１の下面に連通する入口孔１２が形成されている。さらに、各行孔１１には、ベースプレート１の上面に連通する下側縦孔１３が四個ずつ形成されており、一本の行孔１１に連通する各下側縦孔１３は、単位領域の各列に一個ずつ配されている。よって、各単位領域には下側縦孔１３が四個ずつ配されることとなる。そして各単位領域内においては、各下側縦孔１３の幅方向位置が互いに異なるよう、図２の左上から右下に向けて並んでおり、さらに各単位領域相互における行孔１１および下側縦孔１３の配置はすべて同一である。なお、下側縦孔１３には雌ネジが形成されており、ベースプレート１上面の各下側縦孔１３の周縁部にはＯリングを嵌め込むためのＯリング溝１４が形成されている。さらに、ベースプレート１上面の周縁部には、マニホールドブロック２およびエンドプレート３をネジ止めするためのネジ穴１５が形成されている。
【００１３】
マニホールドブロック２は、略直方体形状であり、幅がベースプレート１の単位領域の幅と同一であり、奥行がベースプレート１と同一である。そして図３に示すように、奥行方向に貫通する四本の列孔２１が、同じ高さ位置に、平行且つ等間隔に形成されている。列孔２１の幅方向位置は、マニホールドブロック２をベースプレート１の単位領域と一致した幅方向位置に載置した際に、ベースプレート１の下側縦孔１３と一致する。また列孔２１の高さ位置は、列孔２１より上側に後述の出口孔２２を形成できるよう、上側に余裕を残した位置となっている。そして各列孔２１の両端には雌ネジが形成されており、プラグ４が螺合されて塞がれている。また、各列孔２１には、マニホールドブロック２の下面に連通する上側縦孔２３が三個ずつ形成されている。上側縦孔２３の位置は、マニホールドブロック２をベースプレート１の単位領域と一致した幅方向位置に載置した際に、ベースプレート１の下側縦孔１３と一致する。なお、マニホールドブロック２の周縁部には、マニホールドブロック２をベースプレート１にネジ止めするためのボルト挿入孔２５が形成されている。
【００１４】
エンドプレート３は、略直方体形状であり、幅がベースプレート１の単位領域の幅と同一であり、奥行がベースプレート１と同一である。なお、エンドプレート３の周縁部には、エンドプレート３をベースプレート１にネジ止めするためのボルト挿入孔３５が形成されている。
【００１５】
続いて、このように形成したベースプレート１、マニホールドブロック２およびエンドプレート３からなるマニホールドの使用例を、図４に基づいて説明する。なお、ベースプレート１において一番上側の行孔を１１ａとし、各単位領域において一番上側の下側縦孔を１３ａとする。さらに、マニホールドブロック２において一番左側の列孔を２１ａとし、一番上側の上側縦孔を２３ａとする。このマニホールドは、ベースプレート１が支持台５に載置され、ベースプレート１の入口孔１２と支持台５に形成された流体供給口５１とが連通する。支持台５の流体供給口５１はすべての入口孔１２に対応している必要はない。例えばここでは、行孔１１ａの入口孔１２と支持台５の流体供給口５１とが連通し、行孔１１ａから１行Ａ列付近と３行Ｃ列付近に流体を供給する場合について示す。この場合、１行Ａ列の下側縦孔１３ａと、１行Ｃ列の下側縦孔１３ａのＯリング溝１４にＯリング（図示省略）を嵌め込み、Ａ列およびＣ列のそれ以外の下側縦孔にはプラグ（図示省略）を螺合して孔を塞ぐ。また、Ｂ列およびＤ列の下側縦孔のＯリング溝にはＯリングを嵌め込み、エンドプレート３を載置し、ボルト挿入孔３５にボルト６を挿入してネジ止めし、すべての孔を塞ぐ。そして、Ａ列およびＣ列にはマニホールドブロック２を載置し、ボルト挿入孔２５にボルト６を挿入してネジ止めする。すると、Ａ列においては１行Ａ列の下側縦孔１３ａとマニホールドブロック２の上側縦孔２３ａとが連通し、Ｃ列においては１行Ｃ列の下側縦孔１３ａとマニホールドブロック２の上側縦孔２３ａとが連通する。そして、１行Ａ列および３行Ｃ列のそれぞれにおいて、マニホールドブロック２上面の任意の位置から列孔２１ａに連通する出口孔２２を形成すれば、入口孔１２から出口孔２２まで流体の流路が形成される（図４中の斜線部分）。なお、このマニホールドの使用方法は上記例に限られず、一つのマニホールドブロック２に二個以上の出口孔２２を形成してもよいし、ベースプレート１上にマニホールドブロック２のみを載置してエンドプレート３を用いなくでもよい。
【００１６】
このように、本発明のマニホールドによれば、ベースプレート、マニホールドブロック、エンドプレートの三種類の部材が定形化される。そして、ベースプレート上にマニホールドブロックを載置する際に、必要箇所のみ下側縦孔と上側縦孔を連通させれば、任意の行孔から列孔にかけての流路が形成され、マニホールドブロック上の任意の箇所から列孔に連通する出口孔を形成すれば、ベースプレート上の任意の位置に流体を供給できる。よって、ベースプレート、マニホールドブロック、エンドプレートを標準化することができ、流体の供給位置の違いに対しても同一部品を用いることができ、新たに設計・加工しなければならないのはマニホールドブロックに形成する出口孔のみなので、手間やコストを大幅に低減できる。
【００１７】
本発明は、上記の実施形態に限定されない。たとえば、ベースプレートの単位領域は、幅方向、奥行方向ともに二つ以上並んでいれば、いくつに分割されていてもよい。また、各単位領域に設けられる行孔や下側縦孔も、二つ以上であればいくつでもよい。さらに、各単位領域内における下側縦孔１３の配置は、幅方向位置が互いに異なっていればどのような配置でもよい。
【符号の説明】
【００１８】
１  ベースプレート
２  マニホールドブロック
３  エンドプレート
１１  行孔
１２  入口孔
１３  下側縦孔
２１  列孔
２２  出口孔
２３  上側縦孔
【図１】
2011256926.tif 000003
【図２】
2011256926.tif 000004
【図３】
2011256926.tif 000005
【図４】
2011256926.tif 000006